(57)【要約】【課題】機密性に厳しい要求がなく、生産コストも低い筆記描線切れや塗付切れ等が発生しないボールペンタイプの筆記具を提供すること。【解決手段】筆記液が充填されている収納管の先端に筆記部が装着されてなる筆記具において、収納管の筆記液後端面と接触したまま収納管内を摺動する押板が収納管の後端側に配置された加圧スプリングの先端部と接触し、少なくとも筆記時には加圧スプリングが圧縮作用を受けていてそのバネ復元圧で押板を介して筆記液を加圧する構成としたことを特徴とする筆記具。特に筆記時は、収納管の加圧スプリングの後端部をノック式、回転ねじ込み式、又はスライド式などの押圧手段にて前進させることで加圧スプリングを所定の位置まで圧縮し、該位置にて係止状態に保持させることを特徴とする筆記具。【選択図】　　　図２
2004025713.tif 000002
【特許請求の範囲】
【請求項１】
筆記液が充填されている収納管の先端に筆記部が装着されてなる筆記具において、収納管の筆記液後端面と接触したまま収納管内を摺動する押板が収納管の後端側に配置された加圧スプリングの先端部と接触し、少なくとも筆記時には加圧スプリングが圧縮作用を受けていてそのバネ復元圧で押板を介して筆記液を加圧する構成としたことを特徴とする筆記具。
【請求項２】
保管時には加圧スプリングはほぼ自由長又は減圧縮されるように設定され、筆記時には加圧スプリングの後端部が外部からの押圧手段による圧縮作用を受けると共にそのスプリングの圧縮される寸法は、筆記液が消費されたときに押板が前進する量と同じか又はそれ以上になるように設定されることを特徴とする請求項１に記載の筆記具。
【請求項３】
筆記時には収納管の加圧スプリングの後端部をノック式、回転ねじ込み式、又はスライド式などの外部押圧手段にて前進させることで加圧スプリングを所定の位置まで圧縮し、該位置にて係止状態に保持させることを特徴とする請求項１又は２に記載の筆記具。
【請求項４】
保管時には、先端筆記部の保護や乾燥防止のために内部に突起部を設けたキャップを先端筆記部に嵌合し、筆記時には該キャップを筆記具の後端部から嵌合することによって、キャップ内部の突起部で収納管の加圧スプリングの後端部を所定の位置まで押圧して加圧スプリングを圧縮し、該位置でキャップを係止状態に保持させることを特徴とする請求項１〜３のいずれか１項に記載の筆記具。
【請求項５】
先端筆記部を設けた筆記液収納管が外筒軸内で加圧スプリングを介して先端筆記部を外筒軸の先端から出没自在になるように装着した筆記具であって、保管時には加圧スプリングがほぼ自由長又は減圧縮されることで先端筆記部を外筒軸内へ没入させ、筆記時には収納管の加圧スプリングの後端受け部をキャップ外部からのノック式、回転ねじ込み式、又はスライド式等から選ばれた押圧手段にて前進させることで加圧スプリングを所定の位置まで圧縮し、同時に筆記液収納管が外筒軸内を前進して先端筆記部を外筒軸先端から繰り出させ該位置にて係止状態に保持させることを特徴とする請求項２又は３に記載の筆記具。
【発明の詳細な説明】
【０００１】
【発明の属する技術分野】
本発明は筆記用や化粧用等の筆記具に関し、特に筆記描線切れや塗付切れ等が発生しない筆記具に関するものである。
【０００２】
【従来の技術】
一般に、インクが充填されている収納管の先端部にボールとそれを保持しているチップホルダーからなる筆記部が装着されてなるボールペンタイプの筆記具は従来から知られており、この形状に類似して化粧料を入れた塗付具も従来から実開昭５５−１７７３１５号等で提案されていた。しかし、化粧品においては通常のボールペンに比べ使用時に上向き筆記の可能性が高く、通常のボールペンの弱点である筆記描線切れが発生しやすい。この対策として以前からインク後端からインク（又は化粧料）を加圧し筆記時にインク（又は化粧料）を筆記部分のボールに向けて力を加えることにより上向き筆記を行なってもインクが筆記面に出てボールとチップの間に隙間が出来ても、加圧されたインクに満たされインク切れは発生しない。その手段として気体の圧縮力を利用した加圧ボールペンが提案され、上向き筆記対策のみならず、通常の使用時にも描線が安定するという利点があった。
【０００３】
【発明が解決しようとする課題】
しかしその加圧を利用するため圧縮気体を軸に密封するタイプがあったが常時筆記部に加圧力が加わっているために、筆記部のボールとチップの完璧な密着力やシール性が要求され、チップ部材の寸法精度が必要で、その密閉性が悪いとその加圧力で筆記部からインク洩れが発生した。また軸の部分でも高い機密性を得るために部品の精度や生産工程にカシメ等が必要になり、品質維持や生産に支障がありコストがかかった。また使用時にインキ収容管の後端にポンピング式の加圧機構部が設けられてノック作動によって加圧機構部を前進作動させてインキ収容管の後端孔に空気を押し込み液を加圧するタイプも提案（特開２００１−１７１２８７号）されているが、機密性に厳しい要求があるため生産コストが高い。本発明の課題は、かかる実情に鑑み、機密性に厳しい要求がなく、生産コストも低い筆記描線切れや塗付切れ等が発生しない筆記具を提供しようとするものである。
【０００４】
【課題を解決するための手段】
本発明者等は、かかる課題を解決するために種々検討の結果、機密性に難のある気体の圧縮力を使用せずスプリングの圧縮によるばね圧を利用し、特に保管時等の筆記時以外には、インクへのばね圧を減圧又は加わらない方式について検討した。その結果、筆記液の後端面に接触する押板を収納管内に摺動可能に設け、筆記時にその押板をスプリングの圧縮によるバネ復元圧で押し、筆記時以外にはスプリングの圧縮を減少または開放する方式の本発明を完成した。
【０００５】
すなわち、本発明の請求項１に記載の筆記具は、筆記液が充填されている収納管の先端に筆記部が装着されてなる筆記具において、収納管の筆記液後端面と接触したまま収納管内を摺動する押板が収納管の後端側に配置された加圧スプリングの先端部と接触し、少なくとも筆記時には加圧スプリングが圧縮作用を受けていてそのバネ復元圧で押板を介して筆記液を加圧する構成としたことを特徴とする。
【０００６】
請求項２に記載の発明は、上記の請求項１に記載の筆記具において、保管時には加圧スプリングはほぼ自由長又は減圧縮されるように設定され、筆記時には加圧スプリングの後端部が外部からの押圧手段による圧縮作用を受けると共にそのスプリングの圧縮される寸法は、筆記液が消費されたときに押板が前進する量と同じか又はそれ以上になるように設定されることを特徴とする。
【０００７】
請求項３に記載の発明は、上記の請求項１又は２に記載の筆記具の好ましい実施態様であって、筆記時には収納管の加圧スプリングの後端部をノック式、回転ねじ込み式、又はスライド式などの外部押圧手段にて前進させることで加圧スプリングを所定の位置まで圧縮し、該位置にて係止状態に保持させることを特徴とする。
【０００８】
請求項４に記載の発明は、上記の請求項１〜３のいずれかに記載の筆記具の好ましい実施態様であって、保管時には先端筆記部の保護のための内部に突起部を設けたキャップを先端筆記部に嵌合し、筆記時には該キャップを筆記具の後端部から嵌合することによって、キャップ内部の突起部で収納管の加圧スプリングの後端部を所定の位置まで押圧して加圧スプリングを圧縮し、該位置でキャップを係止状態に保持させることを特徴とする。
【０００９】
請求項５に記載の発明は、上記の請求項２または３に記載の筆記具の更に好ましい具体例であって、先端筆記部を設けた筆記液収納管が外筒軸内で加圧スプリングを介して先端筆記部を外筒軸の先端から出没自在になるように装着した筆記具であって、保管時には加圧スプリングがほぼ自由長又は減圧縮されることで先端筆記部を外筒軸内へ没入させ、筆記時には収納管の加圧スプリングの後端受け部をキャップ外部からのノック式、回転ねじ込み式、又はスライド式等から選ばれた押圧手段にて前進させることで加圧スプリングを所定の位置まで圧縮し、同時に筆記液収納管が外筒軸内を前進して先端筆記部を外筒軸先端から繰り出させ該位置にて係止状態に保持させることを特徴とする筆記具である。
【００１０】
【発明の実施の形態】
以下、本発明の実施の形態について詳細に説明する。
本発明の筆記具とは、各種の筆記用又は化粧用等を対象とする。また充填される筆記液としては、筆記用の場合には通常のボールペン用インキ、又は誤記等を白色のインキで隠蔽することで修正可能とする白色インキ等である。また化粧用のばあいには流動性のある液体化粧ペイント、静止時に半固形性を呈するチキソトロピー性の化粧料等が挙げられる。また収納管の先端部に装着される筆記部の構造は、先端の球状ボールとそれを保持しているチップホルダーからなるボールペンタイプのものや、穂先或いは、ニードル弁等の流動体筆記液の流出抑制機能を具備する任意の筆記具等が挙げられるが特に限定されない。
【００１１】
さらに収納管内の筆記液末端部に接触し且つ該筆記液の消費に従って筆記液と共に管内を摺動自在な押板としては、加圧スプリングによる圧縮で変形したり筆記液で浸されないものであればその材質は限定されない。通常ボールペン等に使用される樹脂状フオロア棒であってもよい。かかる押板に接触又は連結して筆記具の後端部に配置される加圧スプリングとしては、少なくとも筆記時には押圧手段による圧縮作用で圧縮されて生じるバネ復元圧で押板を介して筆記液を加圧することが必要である。
【００１２】
ここで加圧スプリングを圧縮させる押圧手段としては、収納管の後端側に配置された加圧スプリングの後端受け部を回転、スライド、ノック等で前進させ所定の位置で係止させるものであれば特に限定されない。例えば最も簡単な構成は、収納管の後端部にねじ込み式に固着した尾栓の一部を加圧スプリングの後端受け部とする場合である。この場合、尾栓を直接固定した場合には加圧スプリングは常時圧縮状態で固定されるため、保管時は勿論、筆記時でも常時圧縮した状態となる。この場合には筆記時以外での塗付部からの液洩れを防止するキャップ手段又はチップホルダーと筆記部のボールの密着によるシール性が必要になる。
【００１３】
本発明では、筆記時の圧縮した状態から筆記時以外には加圧スプリングがほぼ自由長又は一部復元により減圧縮される構成とすることが望ましい。かかる本発明の好ましい実施形態としては、筆記時に加圧スプリングの後端受け部が外部からの押圧手段による圧縮作用を受けられるように、収納管の尾栓を回転ねじ込み式にて前後進可能にさせるか、或いは尾栓を収納管後端に固定せずその一部を突出させた加圧スプリングの後端受け部とし、該後端受け部を外部からノック式や回転ネジ込み式又はスライド方式などの押圧手段にて前進させることで加圧スプリングを所定の位置まで圧縮し該位置に係止状態に保持させるものである。これによって生産コストが低く、筆記時以外での塗付部からの液洩れを防止し、且つ筆記時での描線切れや塗付切れ等が発生しない筆記具を提供できる。
【００１４】
【実施例】
以下、本発明の具体的な実施例を図示例と共に説明する。
【００１５】
実施例１
図１は、尾栓を押圧手段に利用する本発明の基本的な筆記具の第１の実施例を示す縦断面図である。まず図１に示した筆記具は、流動性の筆記液２が充填されている収納管１の先端部にボール３とそれを保持しているチップホルダー４などからなる筆記部が装着されてなるボールペンタイプの筆記具であって、収納管１内には流動性筆記液２の後端面に接触し且つ該筆記液の消費に従って管内壁面を筆記液と共に密接して摺動する押板５が配置されている。また押板５には収納管１の後端部の尾栓６の一部を受け部材８として設置された加圧スプリング７の先端が接触又は連結して配置されている。ここで尾栓６を加圧スプリング７が所定の寸法の長さに圧縮させた状態で収納管１の後端部に固定した場合には、加圧スプリング７のバネ圧で押板５が常時筆記液２を加圧する。この場合、塗付時以外には収納管の先端筆記部にキャップを嵌合させて筆記液の洩れを防止するか又はチップホルダーと筆記部のボールの密着によるシール性が必要になる。
【００１６】
図１における尾栓６の変形として、収納管内へ突出する受け部材８を比較的長い円筒部とし、その外周に収納管内壁に設けられたネジ溝と係合するねじ山を設けることによって、塗付時に尾栓６を適宜回転させることで収納管内へ尾栓の円筒部８をねじ込み式に前進または後退させて加圧スプリング７を圧縮又は減圧縮させる構成とすることができる。この場合、ねじ込み式のため任意の位置で係止状態に保持させることができる。従って筆記時には加圧スプリング７が常時圧縮されてそのバネ復元圧で筆記液が加圧されるので、途中で塗付切れ等が生じない。保管時にはねじ込み式の尾栓６を後退させて加圧スプリングを減圧縮させるか、ほぼ自由長に復元するように配置することで筆記液の先端からの洩れを防止することができる。
【００１７】
実施例２
図２（ａ）〜（ｃ）は、尾栓を貫通する外部突出のノック棒を押圧手段に利用する本発明の第２の実施例を示す塗付具の縦断面図である。
図２（ａ）は保管時の状態、図２（ｂ）は塗付時の状態を示すものであり、図２（ｃ）はノック棒の縦断面図である。なお図中の符号で前記した図１で使用したものと同じものは、その図１と同じ意味を表すものとする。先ず保管時状態の図２（ａ）においては、収納管１に、塗付液２と押板５及び押板に先端が接触する加圧スプリング７がほぼ自由長さ状態で収納管１内に配置され、且つ該加圧スプリング７の後端部は、収納管の後端部に固定した尾栓６の中心部に設けた貫通孔を自在に摺動する外部突出部９を有するノック棒の先端に形成されたスプリング受け部１０で受け止められて固定されている。
【００１８】
さらにノック棒には、図２（ｃ）に示すように中空体の一部壁面に上向き弾性力を付与されたツメ部１１が形成されている。一方収納管１のスプリング受け部１０よりも後端側の側壁にはツメ部１１を係止する小孔１２と後端部には一端を固定されて先端方向へ伸びる懸け止め部材１３が形成されており、さらに懸け止め部材１３の一部には小孔１２に陥没可能な突起部１４とが形成されている。
次に、塗付時の状態を示す図２（ｂ）においては、ノック棒の外部突出部９を収納管１の内部へ押し込み前進させると所定の位置でノック棒のツメ部１１が収納管の小孔１２内へ弾性力で突き出されて係止される。
【００１９】
この位置でノック棒９の先端に形成されたスプリング受け部１０が加圧スプリング７を圧縮しそのバネ復元圧で該押板５が筆記液２を加圧することから、筆記液２は先端筆記部からスムーズに押出されて塗付状態に維持される。従って上向き筆記であっても筆記描線切れ等の発生が防止される。なお、筆記が完了した場合には、懸け止め部材１３の突起部１４を収納管１の小孔１２へ押し込むことでノック棒のツメ部１１を小孔１２から外せば、加圧スプリング７の復元力でノック棒の外部突出部９は押し戻される。これによって加圧スプリング７は、ほぼ自由長さ状態で収納管１内に保持される。この場合、図示していないが塗付部の先端には、塗付剤の乾燥を防止するキャップを取り付けることが望ましい。
【００２０】
実施例３
図３（ａ）〜（ｂ）は筆記部の保護や乾燥防止のために内部に突起部を設けたキャップを押圧手段に利用する本発明の第３の実施例を示す縦断面図である。ここで図３（ａ）は、保管時に塗付部先端にキャップを嵌め込んで筆記部の保護状態を示す縦断面図である。図３（ｂ）は塗付時において塗付具の後端部にキャップを嵌め込んで加圧スプリング７を所定の寸法に圧縮させた状態を示す。なお図中の符号で前記した図１〜２で使用したものと同じものは、同じ意味を表すものとする。図３（ａ）において、塗付部先端に嵌め込まれたキャップ１５の内部には長手方向に伸びた筒状の突起部１６が設けられ、その内部には塗付部のボール先端を保護してシールするための球状の弾性体１７が装着されている。
【００２１】
一方収納管１には、塗付液２と押板５及び該押板に先端が接触する加圧スプリング７がほぼ自由長さ状態で収納管１内に配置され、該加圧スプリング７の後端部は収納管１の後端部から突出したスプリング受け部１８に固定され、さらにスプリング受け部１８には長い連結棒１９を介して尾栓６が配置されている。
ここで収納管１の一部と尾栓６は、小径段差部２０及び該段差部に設けた突起部（又は凹み部）２１が形成された外筒軸２２で被覆されている。また、収納管１の後端部と尾栓６の間には必要に応じて戻しスプリング２３が装着されている。
【００２２】
この場合の塗付時には、図３（ｂ）に示すようにキャップ１５を塗付具後端の外筒軸２２の小径段差部２０に嵌め込むことによってキャップ１５に設けた長手方向に伸びた筒状の突起部１６が尾栓６を押し込み、それに伴って連結棒１９を介して加圧スプリングの受け部１８が押圧されて加圧スプリング７が圧縮される。なおキャップ１５の内部には図示していないが所定の位置でリング状その他の凹み部（又は凸部）を設けて外筒軸２２の小径段差部２０に設ける突起部（又は凹み部）２１で係止させる。なお小径段差部２０に設ける突起部（又は凹み部）２１を所定の間隔で複数箇所に設置して塗付液の消費に従ってキャップ１５の係止位置を変えて加圧スプリング７の圧縮長さを自由に変更するようにしてもよい。キャップ１５を外せば加圧スプリング７は復元力でほぼ自由長に戻って保持されることとなる。
【００２３】
また戻しスプリング２３はキャップを取り外したときに尾栓６がふらふらしないように元の位置に正確に戻す作用をするが必ずしも必須要件とするものではない。なおこの実施例３の変形例として、外筒軸２２を装着させないで収納管１の後端部を延長しその外表面に小径段差部２０及び突起部２１を設けてもよい。またキャップ１５で尾栓６を押す突起部１６はキャップの内部に限定するものではなくキャップの天面部に設けられていてもよく、さらに尾栓６が外筒軸２２の後端部から出ていてもかまわない。
この実施例３によれば、筆記時以外にはキャップで先端筆記部の保護や乾燥防止が図られ、しかも加圧スプリングがほぼ自由長に維持されることから塗付液の洩れがない。一方、筆記時には加圧スプリングの圧縮によるバネ圧で筆記液を加圧することから上向き筆記であっても筆記描線切れ等の発生が防止される。
【００２４】
実施例４
図４（ａ），（ｂ）は、先端筆記部を設けた筆記液収納管が外筒軸内で加圧スプリングを介して先端筆記部を外筒軸の先端から出没自在になるように装着した本発明の第４の実施例を示す筆記具の縦断面図である。特に使用者がノック等の動作により筆記部を先端から繰り出し確実に筆記できる機構を取り入れたものである。ここで図４（ａ）は、筆記部先端を外筒軸内に没入した保管時の状態を示す縦断面図である。図４（ｂ）は筆記部先端を外筒軸外へ突出された塗付時の状態を示す縦断面図である。なお図中の符号で前記した図１〜図３で使用したものと同じものは、同じ意味を表すものとする。
図４（ａ）においては、前部の外筒軸２４に後部の外筒軸２５が嵌合され連結一体化された外筒軸内に、収納管１が装着されて筆記部３が前部外筒軸２４の縮小する先端内壁部と収納管１の縮小先端部の間に設置した戻しスプリング２６のバネ圧で前部外筒軸先端からの没入を補助する構成とされている。一方、加圧スプリング７は先端部が押板５に、後端部が収納管１の後端から摺動自在に分離され一端を閉塞した管状尾栓２７の内部を受け部としてほぼ自由長の状態で配置されている。
【００２５】
管状尾栓２７には縮小段差部２８が形成され、該縮小段差部２８には後部外筒軸２５の後端部の内壁部に一部を残して外部へ突出する筒状部２９の先端部が摺動自在に嵌め込まれる。さらに筒状部２９の外端縮小部にはクリップ３０が固定されており、該クリップ３０を押し込むことで筒状部２９が管状尾栓２７を収納管１に接近するようにスライドさせる外部からの押圧手段を形成している。なおクリップ３０と筒状部２９の外端縮小部の間には適宜懸け止め部材１３を有するキャップ３１が一体化されて外筒軸２５の後端部に摺動自在に、さらに必要により回転自在に取り付けられる。また筒状部２９の先端外周部には適宜加圧スプリング７の圧縮長さを係止させる突起部３２が形成されている。
【００２６】
図４（ｂ）に示す筆記時には、押圧手段を形成しているクリップ３０又はキャップ３１を押し込むことで筒状部２９が管状尾栓２７を収納管１の後端部に接近するようにスライドさせる。管状尾栓２７の先端部が収納管１の後端部に接触した段階で、加圧スプリング７の圧縮率は最大となる。更にクリップ３０又はキャップ３１を押し込むに従って収納管１自体が外筒軸２５内を前進して収納管１の先端部付近との間に設置した戻しスプリング２６が圧縮されて筆記部３が外筒軸先端から突き出され筆記可能状態に繰り出される。その段階でキャップ３１を一部回転させるとキャップと一体化された筒状部２９の先端外周部の突起部３２が外筒軸２５の内部に設けた図示されていない凹み部と係合して係止されこの位置で加圧スプリング７の圧縮長さを係止させることができる。
【００２７】
この状態では管状尾栓２７の先端が収納管１を後端部から押しているので加圧スプリングの設置寸法は決まり、その状態で加圧スプリングは圧縮されており、塗付液には押板を介して圧力が加えられている。塗付作業の進行につれて塗付液が消費されても、上述の状態と同じで塗付液がなくなった状態まで加圧スプリングは塗付液に圧力を加えられるように設定することが望ましい。
塗付作業を終えた後は、キャップ３１を一部回転させるだけで筒状部２９の先端外周部の突起部３２が外れて戻しスプリング２６と加圧スプリング７の復元力で収納管１の先端塗付部が外筒軸２５内へ戻され、さらに加圧スプリング７はほぼ自由長さの状態に戻される。なお加圧スプリングへの押圧手段としたは、前記したキャップ外部からのノック式の他に、回転ねじ込み式、又はスライド式等が挙げられる。
【００２８】
【発明の効果】
以上、説明したように本発明によれば、加圧スプリングの圧縮によるバネ圧を使用して、使用時に塗付液に圧力を加え続けて塗付性能を向上させるもので、加圧気体を使用するものに比べて構成部材の密封性が不要であり、製造コストを高めることなく目的とする効果が得られるという優れた効果を奏し得る。
【図面の簡単な説明】
【図１】本発明の基本的な構成を示すボールペンタイプの筆記具の一例を示す縦断面図である。
【図２】（ａ）本発明の実施例２における保管時の状態を示す縦断面図である。
（ｂ）実施例２における塗付時の状態を示す縦断面図である。
（ｃ）ノック棒を示す縦断面図である。
【図３】（ａ）本発明の実施例３における保管時の状態を示す縦断面図である。
（ｂ）実施例３における塗付時の状態を示す縦断面図である。
【図４】（ａ）実施例４における保管時の状態を示す縦断面図である。
（ｂ）実施例４における塗付時の状態を示す縦断面図である。
【符号の説明】
１　収納管
２　流動性筆記液
３　ボール
４　チップホルダー
５　押板
６　尾栓
７　加圧スプリング
８　尾栓の円筒部
９　ノック棒の外部突出部
１０　スプリング受け部
１１　ツメ部
１２　ツメ部の係止小孔
１３　懸け止め部材
１４　突起部
１５　キャップ
１６　筒状の突起部
１７　球状の弾性体
１８　スプリング受け部
１９　連結棒
２０　小径段差部
２１　段差部に設けた突起部（又は凹み部）
２２　外筒軸
２３　戻しスプリング
２４　前部外筒軸
２５　後部外筒軸
２６　戻しスプリング
２７　管状尾栓
２８　縮小段差部
２９　筒状部
３０　クリップ
３１　キャップ
３２　突起部
【図１】
2004025713.tif 000003
【図２】
2004025713.tif 000004
【図３】
2004025713.tif 000005
【図４】
2004025713.tif 000006